(57)【要約】【課題】被写体やレンズの倍率に応じて色調補正量、および、エンハンス量を最適化する。【解決手段】倍率可変機構を有するレンズを備えるビデオマイクロスコープ用撮像装置において、被写体に応じて、色調の補正量を変えること、被写体に応じて、エンハンス補正量を変えること、レンズの倍率に応じて、色調の補正量を変えること、レンズの倍率に応じて、エンハンスの補正量を変えることのいずれかをおこなう。【選択図】図２
2010199705.tif 000002
【特許請求の範囲】
【請求項１】
倍率可変機構を有するレンズと、前記レンズからの入射光を光電変換する固体撮像素子と、前記固体撮像素子からの電気信号をディスプレーに描画する手段とを有するビデオマイクロスコープ用撮像装置において、
被写体に応じて、色調の補正量を変えること、
被写体に応じて、エンハンス補正量を変えること、
前記レンズの倍率に応じて、色調の補正量を変えること
前記レンズの倍率に応じて、エンハンスの補正量を変えることのいずれかをおこなうことを特徴とするビデオマイクロスコープ用撮像装置。
【発明の詳細な説明】
【技術分野】
【０００１】
本発明は、ビデオマイクロスコープ用撮像装置に係り、被写体および装置レンズ倍率に応じて最適な画質を得るのに好適なためにビデオマイクロスコープ用撮像装置に関する。
【背景技術】
【０００２】
従来のビデオマイクロスコープ用撮像装置は、色調補正やエッジを強調するエンハンス補正をおこない最適な画質を得る機能を有している。例えば、特許文献１には、色彩エンハンス回路による画像データやエッジエンハンス回路による画像データを合成して、表示する撮像装置が開示されている。
【先行技術文献】
【特許文献】
【０００３】
【特許文献１】特開２００５−１３００４６号公報
【発明の概要】
【発明が解決しようとする課題】
【０００４】
従来のビデオマイクロスコープ撮像装置では、色調補正やエンハンス補正にあたっては、予め規定の色調補正量、および、エンハンス量を設定している。例えば、基板検査の場合において、基板上のＩＣピンのハンダの載り具合を撮像した場合、レジスト部分はレジスト色（例えば、緑）を強調し、エッジ強調のためのエンハンス量は抑え目にし、ＩＣピンのハンダ箇所は、色飽和度は低めに設定し、エッジ強調のためのエンハンス量は高く設定した方がよい画質が得られる。すなわち、基板検査の場合には、ハンダ部分の検査はハンダの乗り具合や未ハンダがないか等チェックするが、基板ランドと実装部品のＩＣピン等の境は、エッジ強調を利かせたほうがより識別しやすいためである。しかしながら、従来技術においては、色調補正量、および、エンハンス量が規定値であるため、被写体によっては、色調補正量、および、エンハンス量が最適でない場合が多々あるという問題点があった。また、従来のビデオマイクロスコープ撮像装置では、レンズの倍率にかかわらず、色調補正量、および、エンハンス量が一定であるために最適な画質が得られないという問題点があった。
【０００５】
本発明は、上記問題点を解決するためになされたもので、その目的は、被写体やレンズの倍率に応じて色調補正量、および、エンハンス量を最適化することができるビデオマイクロスコープ用撮像装置を提供することにある。
【課題を解決するための手段】
【０００６】
本発明のビデオマイクロスコープ用撮像装置では、被写体に応じて、色調の補正量、または、エンハンス補正量を変えるようにする。例えば、基板検査の場合には、レジストの緑を指定色とし、指定色の割合が一定未満のときには、ハンダ部分が多いと推測されるため、レジスト部分を強調しないために、指定色の補正量を縮小し、ハンダのエッジを強調するようにエンハンスの補正量を変更する。
【０００７】
また、本発明のビデオマイクロスコープ用撮像装置では、撮像のレンズの倍率に応じて、色調の補正量、または、エンハンスの補正量を変えるようにする。
【０００８】
例えば、ＩＣピンの部分を拡大するために、レンズの倍率を変更した場合には、レジスト部分を強調しないために、指定色の補正量を縮小し、ハンダのエッジを強調するようにエンハンスの補正量を変更する。
【発明の効果】
【０００９】
本発明によれば、被写体やレンズの倍率に応じて色調補正量、および、エンハンス量を最適化することができるビデオマイクロスコープ用撮像装置を提供することができる。
【図面の簡単な説明】
【００１０】
【図１】本発明の一実施形態に係るビデオマイクロスコープ用撮像装置のブロック図である。
【図２】本発明の一実施形態に係るビデオマイクロスコープ用撮像装置の動作を示すフローチャートである。
【発明を実施するための形態】
【００１１】
以下、本発明に係る一実施形態を、図１および図２を用いて説明する。
【００１２】
先ず、図１を用いて本発明の一実施形態に係るビデオマイクロスコープ用撮像装置の構成について説明する。
図１は、本発明の一実施形態に係るビデオマイクロスコープ用撮像装置のブロック図である。
【００１３】
本実施形態のビデオマイクロスコープ用撮像装置は、倍率を変えられるレンズ１を有している。そのレンズ１を通して、撮像素子２に入射された光は光電変換され、Ａ／Ｄコンバータ３により、ディジタル変換される。そして、映像信号処理部４により信号処理され、フレームメモリ５に書き込まれ、ディスプレーモニタ（図示せず）に画像が出力される。
【００１４】
映像信号処理部４に対する制御は、ＣＰＵ（Central Processing unit）６によりおこなう。レンズ１の倍率を変化させるときには、レンズ倍率駆動制御部７によりレンズ倍率制御信号をＣＰＵ６に送信する。一方、映像信号処理部４は、撮像エリアをｎ（ｎ＝１，２，３…）分割し、各エリア毎に色成分の分布を演算し、ＣＰＵ６に送信する。
【００１５】
次に、図２を用いて本発明の一実施形態に係るビデオマイクロスコープ用撮像装置の動作について説明する。
図２は、本発明の一実施形態に係るビデオマイクロスコープ用撮像装置の動作を示すフローチャートである。
【００１６】
例えば、基板を撮像するためレジスト部分の緑色を強調するよう予め緑成分の補正量を増やしている場合でも、画像領域によりハンダ部分が多い場合は、そのエリアの緑成分の補正量を抑えるようにする。これは、映像信号処理部４が、各撮像エリアに対して、ハンダの色成分が多いと演算したときには、画像領域によりハンダ部分が多いと判断して、このような動作をするように、ＣＰＵ６が、映像信号処理部４に対して、そのエリアの緑成分の補正量を抑えるように指示をする。
【００１７】
また、ハンダ部分を観察したい場合には、エンハンス補正量を変更して、ハンダのエッジを強調する。
【００１８】
さらに、レンズの倍率の変更によっても、色補正量やエンハンス補正量を変更した方がよい場合がある。例えば、基板を検査する例では、レジストの色が緑の場合、通常は緑の色調のレベルを上げて、緑色を強調する場合の方が好まれる傾向にあるが、レンズの倍率を変更し、ＩＣピン部を拡大して、検査するとき周辺のレジストの緑色を抑えたほうが判りやすい場合がある。また、ＩＣピンのハンダの具合を見る場合には、エンハンス量は周波数帯域により設定量を変えており、低域でのエンハンス量は、高域に比べてノイズとの兼ね合いで低めに設定しているが、レンズ倍率を拡大した場合には、低域のエンハンス量を高めに設定しないと見たい部分のエッジの利き方が低倍率と異なるので、特に、低域のエンハンス量を高めに設定する場合がある。
【００１９】
具体的には、図２に示されるように、ＣＰＵ６が、各映像エリア内の指定色の割合を測定する（Ｓ０１）。上記の例では、基板のレジストの緑が指定色に該当する。
【００２０】
そして、指定色の割合が一定未満のときには（Ｓ０２）、指定色の色補正量を縮小し（Ｓ０３）、エンハンス量を変更する（Ｓ０４）。指定色の割合が一定未満でないときには（Ｓ０２）、なにもしない。
【００２１】
指定色の割合が一定未満のときとは、基板のレジスト部分の緑が少なく、ハンダ部分が多いときと考えられる。このようなときには、指定色である緑の補正量を少なくし、ハンダのエッジを強調するように、エンハンス補正量を変更する。
【００２２】
また、画像の拡大率が変わり、レンズの倍率が変更されたときには、必要なときには、 ＣＰＵ６は、色補正量と、エンハンス量の設定値を変える指示を画像処理部４に対し命令する。
【００２３】
すなわち、レンズズームの倍率が変化したときには（Ｓ０５）、色補正量を変更し（Ｓ０６）、エンハンス量を変更する（Ｓ０７）。
【００２４】
上の例では、ＩＣピンの部分を拡大して観察するために、指定色であるレジストの緑の補正量を縮小し、周波数帯域の低域のエンハンス量を高めに設定し、ハンダのエッジが強調されるようにする。
【符号の説明】
【００２５】
１…レンズ、２…撮像素子、３…Ａ／Ｄコンバータ、４…映像信号処理部、５…フレームメモリ、６…ＣＰＵ、７…レンズ倍率駆動制御部。
【図１】
2010199705.tif 000003
【図２】
2010199705.tif 000004